(57)【要約】【課題】特別な精度で取り付け調整を行わなくてもスイッチ操作を的確に行えるとともに、接点溶着に対する強制開離機能も確実に発揮することができる安全スイッチを提供すること。【解決手段】操作体のドッグ１と、このドッグ１の押圧により移動し復帰ばね２によって復帰移動するシャフト３に可動端子４を設けるとともに、可動端子４に対向する固定端子５を設け、シャフト３が復帰移動するときに可動端子４が固定端子５から離反するように構成した安全スイッチ本体６とを備え、頭部１ａの基部側に凹部１ｂを形成したピンによりドッグ１を構成するとともに、安全スイッチ本体６を、シャフト３を摺動可能に支持するベース７と、基部がシャフト３に枢着されるとともに先端部がドッグ１の凹部１ｂに嵌合し、ドッグ１の引き抜きにより拡開する１対の揺動アーム８と、各揺動アーム８の中間部とベース７の一部とを連結し、揺動アーム８の拡開によりシャフト３を復帰方向に移動させる１対のリンク９と、復帰位置でシャフト３の周面に係合しシャフト３を保持する保持機構１０とを備えて構成する。【選択図】  図１
2005026093.tif 000002
【特許請求の範囲】
【請求項１】
操作体のドッグと、該ドッグの押圧により移動し復帰ばねによって復帰移動するシャフトに可動端子を設けるとともに、該可動端子に対向する固定端子を設け、前記シャフトが復帰移動するときに可動端子が固定端子から離反するように構成した安全スイッチ本体とを備え、頭部の基部側に凹部を形成したピンにより前記ドッグを構成するとともに、前記安全スイッチ本体を、シャフトを摺動可能に支持するベースと、基部がシャフトに枢着されるとともに先端部がドッグの凹部に嵌合し、ドッグの引き抜きにより拡開する１対の揺動アームと、該揺動アームの中間部とベースの一部とを連結し、揺動アームの拡開によりシャフトを復帰方向に移動させるリンクと、復帰位置でシャフトの周面に係合しシャフトを保持する保持機構とを備えて構成したことを特徴とする安全スイッチ。
【請求項２】
前記保持機構を、シャフトの周面に形成した凹部と、付勢されてベースから突出し、シャフトの凹部に係合する保持部材とにより構成したことを特徴とする請求項１記載の安全スイッチ。
【発明の詳細な説明】
【０００１】
【発明の属する技術分野】
本発明は、接点を強制的に開放するアクティブ作動型の安全スイッチに関し、特に、特別な精度で取り付け調整を行わなくてもスイッチ操作を的確に行えるとともに、接点溶着に対する強制開離機能も確実に発揮することができる安全スイッチに関するものである。
【０００２】
【従来の技術】
安全スイッチは、例えば、スイッチボックス等に設置され、スイッチボックスの扉を開けたときに接点を開放することにより、電源を遮断して作業者の安全を確保する。
安全スイッチには、接点を強制的に開放するアクティブ作動型の安全スイッチと、接点をばねによって開放するネガティブ型安全スイッチとがあるが、後者は接点の溶着が起こると接点が開放されなくなるため、近年では、前者のアクティブ作動型の安全スイッチを採用することが多くなっている。
【０００３】
このようなアクティブ作動型の安全スイッチとしては、例えば、カムの回転によって移動し復帰ばねによって復帰移動するシャフトに可動端子を設けるとともに、該可動端子に対向する固定端子を設け、前記シャフトが復帰移動するときに可動端子が固定端子から離反するように安全スイッチ本体を構成したものがある。
【０００４】
【発明が解決しようとする課題】
しかしながら、上記従来の安全スイッチは、カムとシャフトの取り合いや取り付け精度が重要となるため、扉の設置時に取り付けるものがほとんどであり、既存の扉にはネガティブ型安全スイッチしか取り付けられないという問題を有している。
【０００５】
本発明は、上記従来の安全スイッチが有する問題点に鑑み、特別な精度で取り付け調整を行わなくてもスイッチ操作を的確に行えるとともに、接点溶着に対する強制開離機能も確実に発揮することができる安全スイッチを提供することを目的とする。
【０００６】
【課題を解決するための手段】
上記目的を達成するため、本発明の安全スイッチは、操作体のドッグと、該ドッグの押圧により移動し復帰ばねによって復帰移動するシャフトに可動端子を設けるとともに、該可動端子に対向する固定端子を設け、前記シャフトが復帰移動するときに可動端子が固定端子から離反するように構成した安全スイッチ本体とを備え、頭部の基部側に凹部を形成したピンにより前記ドッグを構成するとともに、前記安全スイッチ本体を、シャフトを摺動可能に支持するベースと、基部がシャフトに枢着されるとともに先端部がドッグの凹部に嵌合し、ドッグの引き抜きにより拡開する１対の揺動アームと、該揺動アームの中間部とベースの一部とを連結し、揺動アームの拡開によりシャフトを復帰方向に移動させるリンクと、復帰位置でシャフトの周面に係合しシャフトを保持する保持機構とを備えて構成したことを特徴とする。
【０００７】
この安全スイッチは、操作体のドッグと、該ドッグの押圧により移動し復帰ばねによって復帰移動するシャフトに可動端子を設けるとともに、該可動端子に対向する固定端子を設け、前記シャフトが復帰移動するときに可動端子が固定端子から離反するように構成した安全スイッチ本体とを備え、頭部の基部側に凹部を形成したピンにより前記ドッグを構成するとともに、前記安全スイッチ本体を、シャフトを摺動可能に支持するベースと、基部がシャフトに枢着されるとともに先端部がドッグの凹部に嵌合し、ドッグの引き抜きにより拡開する１対の揺動アームと、該揺動アームの中間部とベースの一部とを連結し、揺動アームの拡開によりシャフトを復帰方向に移動させるリンクと、復帰位置でシャフトの周面に係合しシャフトを保持する保持機構とを備えて構成することから、扉を開く際に移動するドッグが揺動アームを拡開し、該アームとリンクを介してシャフトを移動させ、確実に接点を開放させるとともに、保持機構がこの復帰位置でシャフトに係合することから、復帰ばねが破断した場合でもシャフトを保持して接点の閉鎖を防止することができる。
そして、この安全スイッチは、略軸方向に移動するドッグと、該ドッグの凹部に嵌合する揺動アームによりシャフトの移動を行うことから、両者の位置決めの誤差を比較的大きくとることができ、これにより、特別な精度で取り付け調整を行わなくてもスイッチ操作を的確に行えるとともに、接点溶着に対する強制開離機能も確実に発揮することができる。
【０００８】
この場合において、前記保持機構を、シャフトの周面に形成した凹部と、付勢されてベースから突出し、シャフトの凹部に係合する保持部材とにより構成することができる。
【０００９】
これにより、保持機構を簡便に構成するとともに、その動作を確実にすることができる。
【００１０】
【発明の実施の形態】
以下、本発明の安全スイッチの実施の形態を図面に基づいて説明する。
【００１１】
図１〜図１２に、本発明の安全スイッチの一実施例を示す。
この安全スイッチは、操作体のドッグ１と、該ドッグ１の押圧により移動し復帰ばね２によって復帰移動するシャフト３に可動端子４を設けるとともに、該可動端子４に対向する固定端子５を設け、前記シャフト３が復帰移動するときに可動端子４が固定端子５から離反するように構成した安全スイッチ本体６とを備えている。
そして、この安全スイッチは、頭部１ａの基部側に凹部１ｂを形成したピンにより前記ドッグ１を構成するとともに、前記安全スイッチ本体６を、シャフト３を摺動可能に支持するベース７と、基部がシャフト３に枢着されるとともに先端部がドッグ１の凹部１ｂに嵌合し、ドッグ１の引き抜きにより拡開する１対の揺動アーム８と、各揺動アーム８の中間部とベース７の一部とを連結し、揺動アーム８の拡開によりシャフト３を復帰方向に移動させる１対のリンク９と、復帰位置でシャフト３の周面に係合しシャフト３を保持する保持機構１０とを備えて構成している。
【００１２】
前記保持機構１０は、シャフト３の周面に形成した凹部３１と、ばね１１により付勢されてベース７から突出し、シャフト３の凹部３１に係合するボールからなる保持部材１２とにより構成されている。
このように、保持機構１０を構成することにより、この保持機構１０を簡便に構成するとともに、その動作を確実にしている。
【００１３】
ドッグ１は、図９〜図１２に示すように、例えば、スイッチボックス等の扉Ｄに固定することができる。
この場合、図１〜図３や図７に示すように、扉Ｄ自体の取り付け精度が良くない場合を想定し、ドッグ１がその軸直角方向に多少移動できるように、ドッグ１の基部１ｃを支持板１ｄにより支持している。
ドッグ１の頭部１ａは断面が円弧をなすように丸く形成されており、また、凹部１ｂは、断面が円弧をなす周溝に形成されている。
【００１４】
シャフト３は、上部が円柱状に形成されるとともに、中間部が四角の枠状、下部が下向きに開口する箱状に形成されている。
また、シャフト３の頂部はドッグ１の頭部１ａと合致する凹面に形成されるとともに、シャフト３の上部下側には、保持機構１０の保持部材が係合する周溝状の凹部３１が形成されている。
シャフト３の中間部には、可動端子４が端子用ばね４１によって下方に付勢されて配設されるとともに、シャフト３の下部には復帰ばね２が嵌挿され、シャフト３を上方に付勢している。
【００１５】
ベース７は、例えば、スイッチボックス等の本体Ｈ側にブラケット７２を介して固定することができる。
このベース７は、シャフト３を上下方向に摺動可能に支持するとともに、復帰移動したシャフト３の凹部３１に対応する位置に１対の横孔７１を備え、該横孔７１に、保持機構１０の保持部材１２と該保持部材１２を付勢するばね１１とを収容している。
また、固定端子５は、このベース７に固定されており、シャフト３が押し込まれた状態で可動端子４と当接し、接点を閉じるようになっている。
【００１６】
揺動アーム８は、基部がシャフト３に枢着されるとともに、先端部がドッグ１の凹部１ｂに嵌合するようにフック状に形成されており、ドッグ１の引き抜きにより、フックの丸い先端部がドッグ１の頭部１ａに押し開けられるように拡開する。
【００１７】
リンク９は、揺動アーム８の中間部とベース７の一部とを連結し、揺動アーム側が斜め上になるように配設されることにより、揺動アーム８と協同し、揺動アーム８の拡開によりシャフト３を復帰方向に移動させる。
【００１８】
かくして、本実施例の安全スイッチは、操作体のドッグ１と、該ドッグ１の押圧により移動し復帰ばね２によって復帰移動するシャフト３に可動端子４を設けるとともに、該可動端子４に対向する固定端子５を設け、前記シャフト３が復帰移動するときに可動端子４が固定端子５から離反するように構成した安全スイッチ本体６とを備え、頭部１ａの基部側に凹部１ｂを形成したピンにより前記ドッグ１を構成するとともに、前記安全スイッチ本体６を、シャフト３を摺動可能に支持するベース７と、基部がシャフト３に枢着されるとともに先端部がドッグ１の凹部１ｂに嵌合し、ドッグ１の引き抜きにより拡開する１対の揺動アーム８と、該揺動アーム８の中間部とベース７の一部とを連結し、揺動アーム８の拡開によりシャフト３を復帰方向に移動させるリンク９と、復帰位置でシャフト３の周面に係合しシャフト３を保持する保持機構１０とを備えて構成することから、扉Ｄを開く際に移動するドッグ１が揺動アーム８を拡開し、該アームとリンク９を介してシャフト３を移動させ、確実に接点を開放させるとともに、保持機構１０がこの復帰位置でシャフト３に係合することから、復帰ばね２が破断した場合でもシャフト３を保持して接点の閉鎖を防止することができる。
そして、この安全スイッチは、略軸方向に移動するドッグ１と、該ドッグ１の凹部１ｂに嵌合する揺動アーム８によりシャフト３の移動を行うことから、両者の位置決めの誤差を比較的大きくとることができ、これにより、特別な精度で取り付け調整を行わなくてもスイッチ操作を的確に行えるとともに、接点溶着に対する強制開離機能も確実に発揮することができる。
【００１９】
以上、本発明の実施例を説明したが、本発明の安全スイッチの構成は、この実施例の記載に限定されるものではなく、その趣旨を逸脱しない範囲において適宜に変更することが可能である。
【００２０】
【発明の効果】
本発明の安全スイッチによれば、操作体のドッグと、該ドッグの押圧により移動し復帰ばねによって復帰移動するシャフトに可動端子を設けるとともに、該可動端子に対向する固定端子を設け、前記シャフトが復帰移動するときに可動端子が固定端子から離反するように構成した安全スイッチ本体とを備え、頭部の基部側に凹部を形成したピンにより前記ドッグを構成するとともに、前記安全スイッチ本体を、シャフトを摺動可能に支持するベースと、基部がシャフトに枢着されるとともに先端部がドッグの凹部に嵌合し、ドッグの引き抜きにより拡開する１対の揺動アームと、該揺動アームの中間部とベースの一部とを連結し、揺動アームの拡開によりシャフトを復帰方向に移動させるリンクと、復帰位置でシャフトの周面に係合しシャフトを保持する保持機構とを備えて構成することから、扉を開く際に移動するドッグが揺動アームを拡開し、該アームとリンクを介してシャフトを移動させ、確実に接点を開放させるとともに、保持機構がこの復帰位置でシャフトに係合することから、復帰ばねが破断した場合でもシャフトを保持して接点の閉鎖を防止することができる。
そして、この安全スイッチは、略軸方向に移動するドッグと、該ドッグの凹部に嵌合する揺動アームによりシャフトの移動を行うことから、両者の位置決めの誤差を比較的大きくとることができ、これにより、特別な精度で取り付け調整を行わなくてもスイッチ操作を的確に行えるとともに、接点溶着に対する強制開離機能も確実に発揮することができる。
【００２１】
この場合、前記保持機構を、シャフトの周面に形成した凹部と、付勢されてベースから突出し、シャフトの凹部に係合する保持部材とにより構成することにより、保持機構を簡便に構成するとともに、その動作を確実にすることができる。
【図面の簡単な説明】
【図１】本発明の安全スイッチの一実施例の接点が閉じた状態を示す断面図である。
【図２】同実施例の接点が開きかけた状態を示す断面図である。
【図３】同実施例の接点が開いた状態を示す断面図である。
【図４】復帰ばねが破断した安全スイッチを示し、（ａ）は接点が閉じた状態を示す断面図、（ｂ）は接点が開きかけた状態を示す断面図、（ｃ）は接点が開いた状態を示す断面図である。
【図５】同実施例の安全スイッチを示し、（ａ）はドッグを引き抜いた状態を示す斜視図、（ｂ）はドッグを挿入した状態を示す斜視図である。
【図６】同実施例の安全スイッチの分解斜視図である。
【図７】ドッグを示し、（ａ）は分解斜視図、（ｂ）は斜視図である。
【図８】同実施例の安全スイッチを示し、（ａ）はドッグの取付図、（ｂ）は安全スイッチ本体の取付図である。
【図９】同実施例の安全スイッチをペンダントスイッチに取り付けた状態を示す分解斜視図である。
【図１０】同実施例の安全スイッチをペンダントスイッチに取り付けた状態を示し、（ａ）は扉を閉じた状態を示す断面図、（ｂ）は扉を開いた状態を示す断面図である。
【図１１】同実施例の安全スイッチをペンダントスイッチに取り付けた状態を示し、（ａ）は扉を閉じた状態を示す上から見た断面図、（ｂ）は扉を開いた状態を示す上から見た断面図である。
【図１２】同実施例の安全スイッチを他のスイッチボックスに取り付けた状態を示し、（ａ）は扉を閉じた状態を示す断面図、（ｂ）は扉を開いた状態を示す断面図である。
【符号の説明】
１    ドッグ
１ａ  頭部
１ｂ  凹部
１ｃ  基部
１ｄ  支持板
２    復帰ばね
３    シャフト
３１  凹部
４    可動端子
４１  端子用ばね
５    固定端子
６    安全スイッチ本体
７    ベース
７１  横孔
７２  ブラケット
８    揺動アーム
９    リンク
１０  保持機構
１１  ばね
１２  保持部材
【図１】
2005026093.tif 000003
【図２】
2005026093.tif 000004
【図３】
2005026093.tif 000005
【図４】
2005026093.tif 000006
【図５】
2005026093.tif 000007
【図６】
2005026093.tif 000008
【図７】
2005026093.tif 000009
【図８】
2005026093.tif 000010
【図９】
2005026093.tif 000011
【図１０】
2005026093.tif 000012
【図１１】
2005026093.tif 000013
【図１２】
2005026093.tif 000014